(57)【要約】【課題】現像剤カートリッジの開口部が完全に開口していないことに起因して発生するカスレ印刷を防止することが可能な現像剤カートリッジ、現像装置、及び画像形成装置を提供することを目的とする。【解決手段】現像剤を収容する現像剤収容体２５と、現像剤収容体２５に収容された現像剤を供給する開口部２９と、開口部２９を開閉するキャップ２７と、通信機能を備えるＲＦＩＤタグ３７と、キャップ２７の動作に連動して、ＲＦＩＤタグ３７の通信を遮断する位置と、ＲＦＩＤタグ３７の通信を可能とする位置とに移動する遮断部材３９とを備える。【選択図】  図６
2007264145.tif 000002
【特許請求の範囲】
【請求項１】
現像剤を収容する現像剤収容体と、
前記現像剤収容体に収容された現像剤を供給する開口部と、
前記開口部を開閉する開閉部材と、
通信機能を備える記憶部材と、
前記開閉部材の動作に連動して、前記記憶部材の通信を遮断する位置と、前記記憶部材の通信を可能とする位置とに移動する移動部材とを備えること、
を特徴とする現像剤カートリッジ。
【請求項２】
前記記憶部材は、ＲＦＩＤタグであること、
を特徴とする請求項１記載の現像剤カートリッジ。
【請求項３】
現像剤を収容する現像剤収容体と、
前記現像剤収容体に収容された現像剤を供給する開口部と、
前記開口部を開閉する開閉部材と、
通信機能を備える記憶部材と、
前記開閉部材の動作に連動して、前記記憶部材の通信を遮断する位置と、前記記憶部材の通信を可能とする位置とに移動する移動部材とを備える現像剤カートリッジと、
前記現像剤カートリッジに収容された前記現像剤を使用して所定の現像剤画像を現像する現像部材とを備えること、
を特徴とする現像装置。
【請求項４】
現像剤を収容する現像剤収容体と、
前記現像剤収容体に収容された現像剤を供給する開口部と、
前記開口部を開閉する開閉部材と、
通信機能を備える記憶部材と、
前記開閉部材の動作に連動して、前記記憶部材の通信を遮断する位置と、前記記憶部材の通信を可能とする位置とに移動する移動部材とを備える現像剤カートリッジと、
前記現像剤カートリッジに収容された前記現像剤を使用して所定の現像剤画像を現像する現像装置と、
前記記憶部材の通信状態に応じて前記現像装置の動作を制御する制御部とを備えること、
を特徴とする画像形成装置。
【請求項５】
前記記憶部材との通信結果を前記制御部に供給する受信部を備え、
前記移動部材は、前記開閉部材の動作に連動して、前記記憶部材と前記受信部との間に移動することで前記記憶部材と前記受信部との通信を遮断すること、
を特徴とする請求項４記載の画像形成装置。
【請求項６】
前記記憶部材との通信結果を前記制御部に供給する受信部を備え、
前記移動部材は、前記開閉部材の動作に連動して、前記記憶部材を、前記受信部が前記記憶部と通信可能な範囲外、又は前記記憶部材と前記受信部とが通信可能な範囲内に移動すること、
を特徴とする請求項４記載の画像形成装置。
【発明の詳細な説明】
【技術分野】
【０００１】
本発明は、現像剤カートリッジ、現像装置、及びこれらを備える画像形成装置に関する。
【背景技術】
【０００２】
従来、現像装置、及び画像形成装置から着脱自在な現像剤カートリッジでは、現像剤を収容する現像剤収容室の、例えば底部に設けられた開口部を、所定の蓋部材を用いて開口状態とし、現像剤収容室から現像装置に現像剤を供給している。この様な現像剤カートリッジとしては、特許文献１に開示された現像剤カートリッジがある。
【０００３】
【特許文献１】特開２００２−７２６５７公報
【発明の開示】
【発明が解決しようとする課題】
【０００４】
しかし、現像剤カートリッジの開口部が完全に開口せず、十分な量の現像剤が現像装置に流入していない状態でも印刷作業を行ってしまう為、現像装置内部の現像剤が不足し、これに起因したカスレ印刷が発生してしまうという問題があった。
【０００５】
そこで、本発明はこの様な実情に鑑みてなされたものであり、現像剤カートリッジの開口部が完全に開口していないことに起因して発生するカスレ印刷を防止することが可能な現像剤カートリッジ、現像装置、及び画像形成装置を提供することを目的とする。
【課題を解決するための手段】
【０００６】
上記課題を解決すべく、本発明に係る現像剤カートリッジは、現像剤を収容する現像剤収容体と、前記現像剤収容体に収容された現像剤を供給する開口部と、前記開口部を開閉する開閉部材と、通信機能を備える記憶部材と、前記開閉部材の動作に連動して、前記記憶部材の通信を遮断する位置と、前記記憶部材の通信を可能とする位置とに移動する移動部材とを備えることを特徴としている。
【０００７】
この様な構成を備える現像剤カートリッジを用いることによって、記憶部材の通信状況に基づいて現像剤収容体を開閉する開閉部材の状態を検出することができる為、現像剤不足によるカスレ印刷が発生することを防止することができる。
【発明の効果】
【０００８】
この様に、本発明によれば、現像剤カートリッジの開口部が完全に開口していないことに起因して発生するカスレ印刷を防止することができる。
【発明を実施するための最良の形態】
【０００９】
以下、本発明を適用した具体的な実施の形態について図面を参照しながら詳細に説明する。
【００１０】
第１の実施の形態に係る画像形成装置は、現像剤カートリッジに検出部材を設け、画像形成装置が検出部材の検出結果に基づいて、現像剤カートリッジから現像装置に現像剤が流入しているか否かを判断することが可能な画像形成装置に関する。
【００１１】
図１に示す様に、第１の実施の形態に係る画像形成装置１は、スタッカ３に堆積した用紙Ｐ等の記録媒体を所定の媒体搬送経路に従って搬送し、当該用紙Ｐ上に、情報処理装置等の外部装置から入力された画像情報に基づく現像剤画像を印刷する。
【００１２】
媒体搬送経路上には、現像剤画像を現像する現像装置５Ｃ，５Ｍ，５Ｙ，５Ｋ、露光装置７、及び転写ローラ９が設けられている。そして、これら現像装置５Ｃ，５Ｍ，５Ｙ，５Ｋ、及び転写ローラ９の媒体搬送方向における下流には、用紙Ｐ上に転写した現像剤画像を定着する定着装置１１が設けられている。そして、これら各部によって表面に、画像情報に基づく現像剤画像が印刷された用紙Ｐは、画像形成装置１の外表に設けられたスタッカ１２に排出され、ユーザに提供される。
【００１３】
現像装置５Ｃ，５Ｍ，５Ｙ，５Ｋはそれぞれ、シアン、マゼンタ、イエロ、ブラック色の現像剤画像を現像する。そしてこれら現像装置５Ｃ，５Ｍ，５Ｙ，５Ｋは、媒体搬送Ｌ上に順次配列され、用紙Ｐが搬送されるタイミングで、現像剤画像を現像する。尚、これら現像装置５Ｃ，５Ｍ，５Ｙ，５Ｋは同一の構成を有する為、以下では現像装置５と総称して詳細な説明を行う。
【００１４】
現像装置５は、所定の筐体の内部に、露光装置７によって表面に潜像画像が露光される感光体ドラム１３と、感光体ドラム１３の表面を帯電する帯電ローラ１５と、感光体ドラム１３の表面に露光された、画像情報に基づく潜像画像上に現像剤を付着させ、現像剤画像を現像する現像ローラ１７と、現像ローラ１７に現像剤を供給する供給ローラ１９と、現像ローラ１７の表面に付着した現像剤を均す現像ブレード２１とを配置して形成される。そして、この様な現像装置５には、現像装置５に現像剤を供給する現像剤カートリッジ２２が設けられている。
【００１５】
この様にして形成された現像装置５における、感光体ドラム１３と対向する位置には、所定のバイアス電圧を印加された転写ローラ９が配置されており、感光体ドラム１３、及び転写ローラ９によって用紙Ｐを挟持搬送することで、用紙Ｐ上に現像剤画像を転写する。
【００１６】
定着装置１１は、図示せぬハロゲンランプ等を内部に備える定着ローラ２３と、定着ローラ２３と共に用紙Ｐを挟持搬送する加圧ローラ２６とを備える。そして定着装置１１まで搬送された用紙Ｐ表面に付着した現像剤は、定着ローラ２３表面の熱、及び加圧ローラ２６によって加えられる圧力によって用紙Ｐ上に定着する。
【００１７】
感光体ドラム１３は、露光装置７によって露光された、画像情報に基づく潜像画像を担持する像担持手段である。
【００１８】
帯電ローラ１５は、図示せぬ電源から供給されたバイアス電圧に基づいて感光体ドラム１３の表面に所定の帯電電位にする。
【００１９】
供給ローラ１９は、現像剤カートリッジ２２から現像装置５内部に流入した現像剤を、現像ローラ１７に供給する。
【００２０】
現像ローラ１７は、供給ローラ１９から供給された現像剤を、感光体ドラム１３上に露光された潜像画像上に付着することで、感光体ドラム１３上に現像剤画像を現像する。
【００２１】
現像剤カートリッジ２２は、内部に現像装置５に供給する現像剤を備える。また、現像剤カートリッジ２２は、現像装置５と着脱自在に形成されている。そして、現像剤カートリッジ２２は、内部を中空とした、現像剤を収容する現像剤収容体２５と、現像剤収容体２５と、現像装置５とが連通する様に現像剤収容体２５を開閉する開閉部材としてのキャップ２７とを備える。
【００２２】
現像剤収容体２５は、例えばシアン、マゼンタ、イエロ、又はブラックの何れか一色の現像剤を収容しており、現像剤カートリッジ２２は、現像剤収容体２５に収容する現像剤の色に対応する現像装置５に装着される。そして、現像剤収容体２５の側面には、図２に示す様に、キャップ２７を矢印Ａ方向に挿入する穴が設けられている。また、現像剤収容体２５の底面には、現像剤カートリッジ２２を現像装置５に装着した際に、現像剤収容体２５の内部の現像剤を現像装置５に供給する開口部２９が設けられている。
【００２３】
キャップ２７は、開口部２９を開閉することで、開口部２９から現像装置５に流出する現像剤を調整する。そして、キャップ２７は、現像剤収容体２５の側面に形成された穴と同一の断面形状を有するカートリッジシャッタ３０と、カートリッジシャッタ３０の一旦に設けられたハンドル３３とを備える。カートリッジシャッタ３０は、開口部２９と略同一形状の開口部を備える開閉部材３０ｂと、開閉部材３０ｂに設けられた複数のリブ３０ａを備える。この様なカートリッジシャッタ３０は、ハンドル３３と固定されており、ハンドル３３が回動することによりハンドル３３と同期して回動する。そして、例えばハンドル３３が回動して、開口部３１と開口部２９とが連通すると共に、リブ３０ａが上方に位置した状態となると、現像剤カートリッジ２２内部の現像剤は、リブ３０ａの間を通り抜けてカートリッジシャッタ３０の内部に流入する。そして現像剤カートリッジ２２の内部に流入した現像剤は、開口部３１及び開口部２９を通じて現像装置５に供給される。また、例えばハンドル３３が回動して、開口部３１と開口部２９とが非連通状態となると、開閉部材３０ｂの壁面が開口部２９を塞ぐため、現像剤カートリッジ２２から現像装置５への現像剤の供給は停止する。
【００２４】
この様な現像剤カートリッジ２２では、図３に示す様に、キャップ２７を現像剤収容体２５に挿入し、ハンドル３３を矢印Ｂ方向に移動させることで、図４に示す様に、開口部２９と開口部３１とを連通状態とし、開口部２９と開口部３１とが連通状態となると、開口部２９、及び開口部３１を通じて現像剤が、現像剤収容体２５から現像装置５に流出する。一方、ハンドル３３を矢印Ｃ方向に移動させ、図５に示す様に、開口部２９と開口部３１とを非連通状態とすると、開口部２９はカートリッジシャッタ３０の開閉部材３０ｂの壁面によって塞がれる為、現像剤収容体２５内部の現像剤は、現像装置５に流出しなくなる。このとき、現像剤収容体２５の壁面に設けられた突起部２５ａ、２５ｂによってハンドル３３の回転角度を制限することで、カートリッジシャッタ３０の回転角度は制限される。すなわち、ハンドル３３の側面が突起２５ａに当接している状態では、排出口２９と排出口３５とは連通状態となる。一方、ハンドル３３の側面が突起２５ｂに当接している状態では、排出口２９と排出口３５とは非連通状態となる。
【００２５】
また、図２に示す様に、現像剤カートリッジ２２の上面には、記憶部材としてのＲＦＩＤ（Radio Frequency Identification）タグ３７を固定する固定領域Ｓ１が設けられている。そして、通常、現像剤カートリッジ２２を使用する場合は、固定領域Ｓ１は、例えばポリスチレン製の保護蓋３８によって覆われている。
【００２６】
この様な固定領域Ｓ１には、図６に示す様に、ＲＦＩＤタグ３７が固定されている。また、固定領域Ｓ１には、ＲＦＩＤタグ３７から発する電磁波信号を遮断する移動部材としての遮断部材３９が設けられている。
【００２７】
遮断部材３９は、一端が固定領域Ｓ１に回動支持された略長方形の板状の部材である。そして、遮断部材３９は、固定領域Ｓ１に固定されたポスト４１を軸に回動することで図６に示す様に、遮断部材３９とＲＦＩＤタグ３７とが重ならない位置、及び図７に示す様に遮断部材３９とＲＦＩＤタグ３７とが重なる位置に移動する。また、遮断部材３９の端部における、遮断部材３９とＲＦＩＤタグ３７とが重なる位置には、例えば銅板によって形成されたシールド４３が固定されている。そして、シールド４３が、ＲＦＩＤタグ３７と重なる位置にある場合、ＲＦＩＤタグ３７から発信される電磁波信号は遮断される。一方、シールド４３が、ＲＦＩＤタグ３７と重ならない位置にある場合は、ＲＦＩＤタグ３７から発信される電磁波信号は遮断されない。
【００２８】
また、この様な遮断部材３９の、シールド４３が固定されている端部とは異なる端部には、突起部４５が形成されており、ハンドル３３が矢印Ｂ方向に移動することでハンドル３３が突起部４５を押すこととなる。そして、突起部４５がハンドル３３によって押されると、遮断部材３９はポスト４１を軸に回動し、シールド４３はＲＦＩＤタグ３７と重ならない位置に移動する。また、ハンドル３３を矢印Ｃ方向に移動することで、ハンドル３３は突起部４５から離れる。このとき、遮断部材３９は、例えばポリスチレン製のトーションスプリング４７の復元力によって、遮断部材３９は、シールド４３とＲＦＩＤタグ３７とが重なる位置まで押し戻される。
【００２９】
トーションスプリング４７の支点は、ポスト４１に挿入されており、一端が遮断部材に設けられた突起部３９ａに引掛けられており、他端が固定領域Ｓ１に設けられた突起部４０に引掛けられている。そして、突起部４５にハンドル３３が当接していない状態では、トーションスプリング４７は、突起部３９ａと、突起部４０との間で所定の角度をもって開く方向に付勢する為、遮断部材３９は、ＲＦＩＤタグ３７と重なる位置に固定される。一方、ハンドル３３が矢印Ｂ方向に移動し、ハンドル３３がポスト４１を押した場合、トーションスプリング４７は、突起部３９ａと突起部４０との間で縮小し、遮断部材３９は、ＲＦＩＤタグ３７と重ならない位置に移動する。
【００３０】
そして、現像剤カートリッジ２２では、現像剤収容体２５から現像装置５に現像剤が流入可能な状態、すなわち開口部２９と開口部３１とが連通している状態で、遮断部材３９はＲＦＩＤタグ３７と重なる位置に位置し、ＲＦＩＤタグ３７から発信される電磁波を遮断する。一方、現像剤収容体２５から現像装置５に現像剤が流入不可能な状態、すなわち開口部２９と開口部３１とが連通していない状態で、遮断部材３９はＲＦＩＤタグ３７と重ならない位置に位置し、ＲＦＩＤタグ３７から発信される電磁波は、ＲＦＩＤアンテナ４９によって受信される。
【００３１】
ＲＦＩＤアンテナ４９は、ＲＦＩＤタグ３７から発信した電磁波信号を受信する。そしてＲＦＩＤアンテナ４９は、画像形成装置１における現像剤カートリッジ２２の上部に設けられている。そして、図８に示す様に、ＲＦＩＤアンテナ４９は、画像形成装置１を構成する各部の制御を行う制御部５１と接続されており、ＲＦＩＤアンテナ４９は、ＲＦＩＤタグ３７から電磁波信号を受信しているか否かに関する情報を制御部５１に供給する。
【００３２】
制御部５１は、現像剤カートリッジ２２が正規品であるか否かを判断する電磁波信号を、ＲＦＩＤアンテナ４９を介してＲＦＩＤタグ３７に送信する。ここで送信される電磁波信号は、ＲＦＩＤタグ３７に記憶された製造情報を要求する信号である。そして、この電磁波信号を受信したＲＦＩＤタグ３７は、製造時にＲＦＩＤタグ３７に記憶された製造情報を、ＲＦＩＤアンテナ４９を介して制御部５１に送信する。そして、制御部５１は、電磁波信号に含まれる情報を判断部５３に供給する。判断部５３は、制御部５１から供給された電磁波信号に含まれる情報に基づいて、現像剤カートリッジ２２が正規品であるか否かの判断を行う。そして、判断部５３は、当該判断結果を制御部５１に供給する。制御部５１は、判断部５３による判断結果を表示部５５に表示してユーザに通知する。例えば制御部５１が、現像剤カートリッジ２２が正規品でないと判断した場合は、表示部５５にその旨、及び印刷動作を中止する旨を表示する。
【００３３】
また、制御部５１は、ＲＦＩＤアンテナ４９からＲＦＩＤタグ３７に対して、現像剤カートリッジ２２の製造時の現像剤収容量、及び現段階までの累積現像剤使用量に関する情報を要求する。ＲＦＩＤタグ３７は、これに応じて、自身が記憶している現像剤容量、及び累積現像剤使用量を、電磁波信号としてＲＦＩＤアンテナ４９に送信する。そして、ＲＦＩＤアンテナ４９は、受信した電磁波信号を制御部５１に供給する。そして、制御部５１は、受信した内容を記憶部５７に記憶する。そして、制御部５１は、現像剤の使用量を計測し、印刷終了時に、印刷時における現像剤の使用量の計測結果、及び記憶部５７に記憶された現像剤容量、並びに累積現像剤使用量に基づいて、印刷終了後の累積現像剤使用量を計算する。そして、制御部５１は、この計算結果をＲＦＩＤタグ３７に書き込むことで、ＲＦＩＤタグ３７に記憶された現像剤残量を更新する。この書き込みは、制御部５１が、ＲＦＩＤアンテナ４９を介してＲＦＩＤタグ３７に電磁波信号を送信することによって行われる。
【００３４】
以下、上述の構成を備える画像形成装置１の一連の動作について詳細な説明をする。
【００３５】
先ず、ユーザが現像剤カートリッジ２２を、現像装置５の指定箇所にセットし、ハンドル３３を矢印Ｂ方向に移動させる。そして、ハンドル３３が矢印Ｂ方向に移動すると、これに連動してカートリッジシャッタ３０は回転し、開口部２９と開口部３１とが連通した状態となる。これと同時に、ハンドル３３がポスト４１を押すことで、遮断部材３９が回動し、ＲＦＩＤタグ３７は、ＲＦＩＤアンテナ４９と通信可能な状態となる。
【００３６】
その後、ユーザによって画像形成装置１の電源が投入されると、制御部５１は、ＲＦＩＤアンテナ４９を介して、ＲＦＩＤタグ３７に記憶された情報を要求する。この要求を受信するとＲＦＩＤタグ３７は、ＲＦＩＤタグ３７に記憶された製造時の現像剤カートリッジ２２の製造情報、現像剤収容量、及び累積現像剤使用量に関する情報を、ＲＦＩＤアンテナ４９を介して制御部５１に送信する。
【００３７】
次に、制御部５１は、製造情報を判断部５３に供給し、現像剤収容量、及び累積現像剤使用量を記憶部５７に記憶する。
【００３８】
次に、判断部５３は、ＲＦＩＤタグ３７に記憶されていた製造情報が、正規の現像剤カートリッジ２２の製造情報であるか否かを判断する。そして、この判断結果を制御部５１に供給する。
【００３９】
判断部５３による判断結果が、現像剤カートリッジ２２が正規品ではない旨の結果である場合、制御部５１は、表示部５５にその旨、及び印刷作業を中止する旨の表示を表示する。一方、判断部５３による判断結果が、現像剤カートリッジ２２が正規品である旨の結果である場合、制御部５１は、製造時の現像剤収容量、及び累積現像剤使用量から算出した現像剤残量を表示部５５に表示させる。その後、制御部５１は、図示せぬ情報処理装置から印刷情報が入力されるまで待機状態となる。
【００４０】
情報処理装置から印刷情報が入力されると、画像形成装置１は、一連の印刷作業を行う。そして、制御部５１は、印刷作業時に使用された現像剤の量を計測する。
【００４１】
その後、制御部５１は、一連の印刷作業が終了したと判断した場合、使用された現像剤の量、及び記憶部５７に記憶された、印刷作業前の累積現像剤量に基づいて、印刷作業後の累積現像剤量を算出し、記憶部５７に記憶する。そして、画像形成装置１の電源が切られる際に、制御部５１は、記憶部５７に記憶された累積現像剤量を、ＲＦＩＤアンテナ４９を介してＲＦＩＤタグ３７に書き込み、一連の処理を終了する。
【００４２】
このとき、現像剤カートリッジ２２を現像装置５にセットする際に、ハンドル３３が十分に移動されず、カートリッジシャッタ３０が十分に回転せず、開口部２９と開口部３１とが完全に連通していない状態となると、遮断部材３９のシールド４３がＲＦＩＤタグ３７と重なった状態となり、ＲＦＩＤタグ３７から発信される電磁波信号を遮るため、ＲＦＩＤタグ３７とＲＦＩＤアンテナ４９とは通信することができない。この様な状態で、画像形成装置１の電源が投入されても制御部５１は、ＲＦＩＤタグ３７に記憶された情報を読み取ることができないので、制御部５１はＲＦＩＤタグ３７を認識することができないとして表示部５５にその旨を表示し、ユーザに異常を知らせることが可能となる。
【００４３】
この様に、画像形成装置１では、ＲＦＩＤタグ３７とＲＦＩＤアンテナ４９とを用いて現像剤カートリッジ２２と通信を行うことで、現像剤カートリッジ２２の状態を画像形成装置１が把握することが可能となる。そして、画像形成装置１は、現像剤カートリッジ２２から現像装置５に現像剤が流出することができない状態にあると判断した場合は、印刷を中止すると共に、これをユーザに通知することができる為、現像装置５内部に現像剤が不足することに因るカスレ印刷の発生を防止することができる。
【００４４】
また、画像形成装置１では、電源が投入される度に、ＲＦＩＤタグ３７に記憶された累積現像剤使用量の読み込みを行う為、画像形成装置１の電源がオフ状態のときに現像剤カートリッジ２２が交換された場合でも、画像形成装置１は現像剤カートリッジ２２内部の正確な現像剤残量を計測することが可能となる。
【００４５】
以下、本発明を適用した第２の実施の形態について詳細な説明をする。第２の実施の形態では、画像形成装置１と同一の構成を有する箇所がある為、該箇所については第１の実施の形態と同一符号を付して詳細な説明を省略する。
【００４６】
第１の実施の形態に係る画像形成装置では、遮断部材３９を用いてＲＦＩＤタグ３７とＲＦＩＤアンテナ４９の通信を遮断する構成としたが、第２の実施の形態では、図９に示す様に、遮断部材３９と同一の方法で固定領域Ｓ２に形成された可動部材６１を備え、この可動部材６１上にＲＦＩＤタグ６３が固定されている。
【００４７】
具体的には、可動部材６１は、一端が固定領域Ｓ２に回動支持された略長方形の板状の部材である。そして、可動部材６１は、固定領域Ｓ２に固定されたポスト４１を軸に回動することで図９に示す様に、ＲＦＩＤタグ６３が通信可能領域Ｓ３に入る位置、及び図１０に示す様にＲＦＩＤタグ６３が通信可能領域Ｓ３に入らない位置の間で移動する。
【００４８】
通信可能領域Ｓ３は、ＲＦＩＤタグ６３とＲＦＩＤアンテナ４９との間で通信が行える領域であり、この領域はＲＦＩＤタグ６３とＲＦＩＤアンテナ４９との伝送方式に合せて決定される。そして、通信可能領域Ｓ３は、ＲＦＩＤタグ６３とＲＦＩＤアンテナ４９の伝送方式が決定することにより定められる領域である為、通信可能領域Ｓ３の大きさに合せて可動部材６１のサイズや、ＲＦＩＤタグ６３の位置を適宜変更する必要がある。
【００４９】
そして、この様な構成によれば、ハンドル３３が矢印Ｂ方向に移動し、ＲＦＩＤタグ６３が通信可能領域Ｓ３の範囲内にある場合は、ＲＦＩＤタグ６３とＲＦＩＤアンテナ４９は通信可能となる。そして、この様な状態では、上述の様に開口部２９と開口部３１とが連通状態となる為、現像剤カートリッジ２２内部の現像剤は現像装置５に流出する。
【００５０】
一方、ハンドル３３が矢印Ｃ方向に移動し、ＲＦＩＤタグ６３が通信可能領域Ｓ３の範囲外にある場合は、ＲＦＩＤタグ６３とＲＦＩＤアンテナ４９は通信を行うことができない。そして、この様な状態では、上述の様に開口部２９と開口部３１とが非連通状態となる為、現像剤カートリッジ２２内部の現像剤は現像装置５に流出しない。
【００５１】
この様に、第２の実施の形態では、ＲＦＩＤタグ６３を通信可能領域Ｓ３の範囲内、又は範囲外に移動させることで、画像形成装置は現像剤カートリッジの状態を把握することが可能となる。
【００５２】
また、第１の実施の形態の効果に加え、第２の実施の形態では、ＲＦＩＤタグ６３の近辺に金属製部品からなるシールド４３を設ける必要がない為、ＲＦＩＤタグ６３とＲＦＩＤアンテナ４９の通信状態を安定させることが可能となる。
【００５３】
尚、上述の実施の形態では本発明をＬＥＤプリンタに適用して詳細な説明を行ったが、本発明は現像剤を使用して媒体に印刷を行うレーザプリンタ、ファクシミリ、複写機、多機能端末の画像形成装置にも適用することができる。
【図面の簡単な説明】
【００５４】
【図１】第１の実施の形態として示す画像形成装置の断面図であり、同画像形成装置の構成について説明する為の図である。
【図２】同画像形成装置に着脱可能な現像剤カートリッジの斜視図であり、同現像剤カートリッジの構成について説明する為の図である。
【図３】同現像剤カートリッジの斜視図であり、同現像剤カートリッジの構成について説明する為の図である。
【図４】同現像剤カートリッジのＸ−Ｘ´断面の断面図であり、同現像剤カートリッジの動作について説明する為の図である。
【図５】同現像剤カートリッジのＸ−Ｘ´断面の断面図であり、同現像剤カートリッジの動作について説明する為の図である。
【図６】同現像剤カートリッジの要部斜視図であり、同現像剤カートリッジの構成について説明する為の図である。
【図７】同現像剤カートリッジの要部斜視図であり、同現像剤カートリッジの構成について説明する為の図である。
【図８】同画像形成装置のブロック図であり、同画像形成装置の制御系統について説明する為の図である。
【図９】第２の実施の形態として示す同現像剤カートリッジの要部斜視図であり、同現像剤カートリッジの構成について説明する為の図である。
【図１０】第２の実施の形態として示す同現像剤カートリッジの要部斜視図であり、同現像剤カートリッジの構成について説明する為の図である。
【符号の説明】
【００５５】
１    画像形成装置
３    スタッカ
５    現像装置
７    露光装置
９    転写ローラ
１１    定着装置
１２    スタッカ
１３    感光体ドラム
１５    帯電ローラ
１７    現像ローラ
１９    供給ローラ
２０    クリーニングローラ
２１    現像ブレード
２２    現像剤カートリッジ
２４    定着ローラ
２５    現像剤収容体
２５ａ    突起部
２６    加圧ローラ
２７    キャップ
２９    流出口
３０    カートリッジシャッタ
３０ａ    リブ
３０ｂ    開閉部材
３３    ハンドル
３５    流出口
３７    ＲＦＩＤタグ
３８    保護蓋
３９    遮断部材
３９ａ    突起部
４０    突起部
４１    ポスト
４３    シールド
４５    突起部
４７    トーションスプリング
４９    ＲＦＩＤアンテナ
５１    制御部
５３    判断部
５５    表示部
５７    記憶部
６１    可動部材
６３    ＲＦＩＤタグ
Ｓ１    固定領域
Ｓ２    固定領域
Ｓ３    通信可能領域
【図１】
2007264145.tif 000003
【図２】
2007264145.tif 000004
【図３】
2007264145.tif 000005
【図４】
2007264145.tif 000006
【図５】
2007264145.tif 000007
【図６】
2007264145.tif 000008
【図７】
2007264145.tif 000009
【図８】
2007264145.tif 000010
【図９】
2007264145.tif 000011
【図１０】
2007264145.tif 000012